(57)【要約】【課題】  複数種類の記録媒体に画像を記録する記録装置において、記録媒体の向きを整える整列動作を実行可能とし、かつ、記録媒体の種類に拘わらず、整列動作による記録媒体の損傷や整列の不足を防止する。【解決手段】  通帳１１０、単票紙１２０及び大判単票紙１３０を含む記録用紙１００に対して画像を記録するプリンタにおいて、記録用紙１００の搬送路に位置する整列板３７に対して記録用紙１００を突き当ててその向きを整える第１従動ローラ４３Ａ〜Ｆと、第１従動ローラ４３Ａ〜Ｆを付勢する整列時付勢ばね４６Ａ〜Ｃとを備え、第１従動ローラ４３Ａ〜Ｆは２個ずつ３つの組をなし、この組毎に、各々異なるばね力を有する整列時付勢ばね４６Ａ〜Ｃにより付勢される。【選択図】      図９
2006248725.tif 000002
【特許請求の範囲】
【請求項１】
通帳及び単票紙を含む複数種類の記録媒体に対して画像を記録する記録装置において、
前記記録媒体を挿入する挿入口に連通し、前記記録媒体が搬送される搬送路と、
前記搬送路上に位置し、前記搬送路に対して垂直な平面を有する整列部材と、
前記搬送路に跨るように並べて配設され、前記記録媒体に当接して前記記録媒体を前記整列部材に向けて搬送する複数組の搬送ローラと、
前記複数組の搬送ローラを組毎に前記記録媒体に向けて付勢する付勢手段と、を備え、
前記付勢手段は、前記複数組の搬送ローラのうち少なくとも一組の搬送ローラを、他の組の搬送ローラとは異なる強さで付勢すること、
を特徴とする記録装置。
【請求項２】
前記挿入口において、前記通帳を挿入すべき位置と前記単票紙を挿入すべき位置とを案内表示する案内表示部とをさらに備え、
前記付勢手段は、前記複数組の搬送ローラのうち、前記挿入口における前記通帳の挿入位置に対応する前記搬送ローラの組に比べて、前記挿入口における前記単票紙の挿入位置に対応する前記搬送ローラを、弱い力で付勢すること、
を特徴とする請求項１記載の記録装置。
【請求項３】
前記案内表示部は、前記通帳を前記挿入口の幅方向の一方側に寄せて挿入し、前記単票紙を前記挿入口の他方側に寄せて挿入する旨を案内表示するものであって、
前記付勢手段は、前記複数組の搬送ローラのうち、前記挿入口の一方側に対応する側に位置する前記搬送ローラの組に比べて、前記挿入口の他方側に対応する側に位置する前記搬送ローラを、弱い力で付勢すること、
を特徴とする請求項２記載の記録装置。
【請求項４】
前記付勢手段は、それぞれ前記搬送ローラの各組に対応し、異なるばね力を有する複数のばねを備えることを特徴とする請求項１から３のいずれかに記載の記録装置。
【請求項５】
前記整列部材は、前記記録媒体の搬送路に進退可能に構成され、
前記整列部材が前記搬送路から退出している場合に、前記付勢手段による付勢力に加えて前記複数組の搬送ローラを付勢する搬送時付勢手段をさらに備えること、
を特徴とする請求項１から４のいずれかに記載の記録装置。
【請求項６】
通帳及び単票紙を含む複数種類の記録媒体に対して画像を記録可能に構成された記録装置における記録媒体の整列機構であって、
前記記録媒体を挿入する挿入口に連通した前記記録媒体の搬送路上に位置し、前記搬送路に対して垂直な平面を有する整列部材と、
前記搬送路に跨るように並べて配設され、前記記録媒体に当接して前記記録媒体を前記整列部材に向けて搬送する複数組の搬送ローラと、
前記複数組の搬送ローラを組毎に前記記録媒体に向けて付勢するとともに、前記複数組の搬送ローラのうち少なくとも一組の搬送ローラを、他の組の搬送ローラとは異なる強さで付勢する付勢手段と、
を備えることを特徴とする記録媒体の整列機構。
【発明の詳細な説明】
【技術分野】
【０００１】
本発明は、通帳及び単票紙を含む複数種類の記録媒体に対して画像を記録可能に構成された記録装置、及び、この記録装置における記録媒体の整列機構に関する。
【背景技術】
【０００２】
従来、ドットインパクトプリンタ等の記録装置において、記録媒体が斜めに挿入された場合に、記録媒体の向きを整える機能を備えたものが知られている（例えば、特許文献１参照。）。特許文献１に開示された印字装置は、印字対象の記録媒体を側方に移動させて、媒体搬送路の側縁に沿って配設された案内板に突き当てることにより、記録媒体の向きを整えるものである。
【特許文献１】特開２００１−１５８５５３号公報
【発明の開示】
【発明が解決しようとする課題】
【０００３】
ところで、ドットインパクトプリンタ等の記録装置においては、通帳等の複数の用紙を綴じた冊子、複写紙、普通紙等の様々な記録媒体が用いられる。これらの記録媒体は、それぞれ強度及び弾性が異なるため、全ての記録媒体を同じ力で搬送することによって不具合を生じる恐れがあった。例えば、上述したように記録媒体の向きを整える場合、記録媒体を整列用の板等に向けて搬送し、この板等に突き当てる必要があるが、記録媒体を突き当てる力が記録媒体の強度及び弾性に比べて強すぎると、記録媒体を傷めてしまうことがあり、この力が記録媒体の強度及び弾性に比べて弱すぎると、記録媒体の向きを十分に整えられず、整列の不足を生じることがあった。
【０００４】
そこで、本発明は、複数種類の記録媒体に画像を記録する記録装置において、記録媒体の向きを整える整列動作を実行可能とし、かつ、記録媒体の種類に拘わらず、整列動作による記録媒体の損傷や整列の不足を防止することを目的とする。
【課題を解決するための手段】
【０００５】
上記課題を解決するため、本発明は、通帳及び単票紙を含む複数種類の記録媒体に対して画像を記録する記録装置において、前記記録媒体を挿入する挿入口に連通し、前記記録媒体が搬送される搬送路と、前記搬送路上に位置し、前記搬送路に対して垂直な平面を有する整列部材と、前記搬送路に跨るように並べて配設され、前記記録媒体に当接して前記記録媒体を前記整列部材に向けて搬送する複数組の搬送ローラと、前記複数組の搬送ローラを組毎に前記記録媒体に向けて付勢する付勢手段とを備え、前記付勢手段は、前記複数組の搬送ローラのうち少なくとも一組の搬送ローラを、他の組の搬送ローラとは異なる強さで付勢することを特徴とする。
【０００６】
ここで、通帳とは、複数枚のシートを綴じた形態を有するものを指し、単票紙とは、１枚のシートまたは複数枚のシートを重畳して構成されるものを総称する。このシートには、紙製、合成樹脂製を含み、普通紙、コート紙等の特殊加工紙、複写用紙等が含まれる。
【０００７】
本発明によれば、通帳及び単票紙を含む複数種類の記録媒体に対して画像を記録する記録装置において、記録媒体を挿入する挿入口に連通する搬送路を設け、搬送路に対して垂直な平面を有する整列部材を搬送路上に位置させて、搬送路に跨るように並べて配設された複数組の搬送ローラを記録媒体に当接させて記録媒体を整列部材に向けて搬送し、これら複数組の搬送ローラを、付勢手段によって組毎に記録媒体に向けて付勢する構成を備え、付勢手段により、複数組の搬送ローラのうち少なくとも一組の搬送ローラを、他の組の搬送ローラとは異なる強さで付勢するので、少なくとも一組の搬送ローラが他の組の搬送ローラとは異なる力で記録媒体に当接する。すなわち、複数組の搬送ローラが記録媒体に対して異なる強さで当接するので、記録媒体の種類毎に最適な力で記録媒体を搬送し、その向きを整えることが可能となる。例えば、強度及び弾性に富む通帳等を強い力で搬送して確実に整列させることができる一方、強度及び弾性に乏しい薄い紙等は弱い力で搬送して、損傷を生じることなく整列させることができ、記録媒体の種類に拘わらず、記録媒体を傷めずに確実に向きを整えることができる。また、本発明は付勢手段が搬送ローラを付勢する強さを異ならせることによって実現可能であるから、部材の増加や構成の複雑化を伴わないという利点がある。
【０００８】
また、本発明において、前記挿入口において、前記通帳を挿入すべき位置と前記単票紙を挿入すべき位置とを案内表示する案内表示部とをさらに備え、前記付勢手段は、前記複数組の搬送ローラのうち、前記挿入口における前記通帳の挿入位置に対応する前記搬送ローラの組に比べて、前記挿入口における前記単票紙の挿入位置に対応する前記搬送ローラを、弱い力で付勢する構成としてもよい。
【０００９】
この場合、挿入口において、通帳を挿入すべき位置と単票紙を挿入すべき位置とを案内表示部によって案内表示し、付勢手段により、複数組の搬送ローラのうち、挿入口における通帳の挿入位置に対応する搬送ローラの組に比べて、挿入口における単票紙の挿入位置に対応する搬送ローラを弱い力で付勢するので、例えば、単票紙を弱い力で整列部材に向けて付勢することにより、強度及び弾性に乏しい薄い紙からなる単票紙であっても、損傷させることなく整列させることができる。また、単票紙の挿入位置に対応する搬送ローラの付勢力を弱くする分だけ、通帳の挿入位置に対応する搬送ローラの組の付勢力を強くすることも可能であり、この場合、強度及び弾性に富む通帳を確実に整列させることができる。
【００１０】
さらに、本発明において、前記案内表示部は、前記通帳を前記挿入口の幅方向の一方側に寄せて挿入し、前記単票紙を前記挿入口の他方側に寄せて挿入する旨を案内表示するものであって、前記付勢手段は、前記複数組の搬送ローラのうち、前記挿入口の一方側に対応する側に位置する前記搬送ローラの組に比べて、前記挿入口の他方側に対応する側に位置する前記搬送ローラを、弱い力で付勢する構成としてもよい。
【００１１】
この場合、案内表示部により、通帳を挿入口の幅方向の一方側に寄せて挿入し、単票紙を挿入口の他方側に寄せて挿入する旨の案内表示を行い、付勢手段により、複数組の搬送ローラのうち、挿入口の一方側に対応する側に位置する搬送ローラの組に比べて、挿入口の他方側に対応する側に位置する搬送ローラを弱い力で付勢するので、記録媒体として通帳を用いる場合は挿入口の一方側に寄せて挿入し、単票紙を用いる場合には挿入口の他方側に寄せて挿入すれば、記録媒体の種類に応じた力で付勢される搬送ローラにより、通帳の整列不足や単票紙の損傷を生じることなく、整列動作が行われる。これにより、案内表示に従って記録媒体の挿入位置を合わせるという極めて簡単な操作により、記録媒体の種類に拘わらず、記録媒体を傷めずに、確実に向きを整えることができる。
【００１２】
また、本発明において、前記付勢手段は、それぞれ前記搬送ローラの各組に対応し、異なるばね力を有する複数のばねを備えるものとしてもよい。
【００１３】
この場合、付勢手段が、異なるばね力を有する複数のばねによって搬送ローラを組毎に付勢するので、記録媒体の種類に拘わらず、極めて単純な構成によって、記録媒体を傷めずに確実に向きを整えることが可能な記録装置を、容易に、かつ低コストで実現可能である。
【００１４】
また、本発明において、前記整列部材は、前記記録媒体の搬送路に進退可能に構成され、前記整列部材が前記搬送路から退出している場合に、前記付勢手段による付勢力に加えて前記複数組の搬送ローラを付勢する搬送時付勢手段をさらに備える構成としてもよい。
【００１５】
この場合、整列部材が記録媒体の搬送路に進退可能に構成され、搬送時付勢手段により、整列部材が搬送路から退出している場合に、付勢手段による付勢力に加えて複数組の搬送ローラを付勢するので、整列部材に向けて記録媒体を搬送することによって記録媒体の向きを整える整列動作時と、その他の搬送動作時とで、搬送ローラが異なる付勢力で付勢される。これにより、整列動作に特に適した力で搬送ローラが付勢されるので、単票紙の損傷を生じることなく確実に整列動作を行うことができる上、その他の搬送時においても最適な力で搬送ローラを付勢することで、搬送時のトラブルを防止できる。
【００１６】
本発明は、通帳及び単票紙を含む複数種類の記録媒体に対して画像を記録可能に構成された記録装置における記録媒体の搬送機構であって、前記記録媒体を挿入する挿入口に連通した前記記録媒体の搬送路上に位置し、前記搬送路に対して垂直な平面を有する整列部材と、前記搬送路に跨るように並べて配設され、前記記録媒体に当接して前記記録媒体を前記整列部材に向けて搬送する複数組の搬送ローラと、前記複数組の搬送ローラを組毎に前記記録媒体に向けて付勢する付勢手段とを備え、前記付勢手段は、前記複数組の搬送ローラのうち少なくとも一組の搬送ローラを、他の組の搬送ローラとは異なる強さで付勢することを特徴とする。
【００１７】
本発明によれば、通帳及び単票紙を含む複数種類の記録媒体に対して画像を記録する記録装置において、記録媒体を挿入する挿入口と挿入口に連通する搬送路とを設け、搬送路に対して垂直な平面を有する整列部材を搬送路上に位置させて、搬送路に跨るように並べて配設された複数組の搬送ローラを記録媒体に当接させて記録媒体を整列部材に向けて搬送し、これら複数組の搬送ローラを、付勢手段によって組毎に記録媒体に向けて付勢する構成を備え、付勢手段により、複数組の搬送ローラのうち少なくとも一組の搬送ローラを、他の組の搬送ローラとは異なる強さで付勢するので、少なくとも一組の搬送ローラが他の組の搬送ローラとは異なる力で記録媒体に当接する。すなわち、複数組の搬送ローラが記録媒体に対して異なる強さで当接するので、記録媒体の種類毎に最適な力で記録媒体を搬送し、その向きを整えることが可能となる。例えば、強度及び弾性に富む通帳等を強い力で搬送して確実に整列させることができる一方、強度及び弾性に乏しい薄い紙等は弱い力で搬送して、損傷を生じることなく整列させることができ、記録媒体の種類に拘わらず、記録媒体を傷めずに確実に向きを整えることができる。また、本発明は付勢手段が搬送ローラを付勢する強さを異ならせることによって実現可能であるから、部材の増加や構成の複雑化を伴わないという利点がある。
【発明の効果】
【００１８】
本発明によれば、整列部材に向けて記録媒体を搬送する複数組の搬送ローラのうち少なくとも一組の搬送ローラを、他の組の搬送ローラとは異なる力で記録媒体に向けて付勢することによって、複数種類の記録媒体を最適な力で搬送することが可能となり、どのような記録媒体であっても、損傷を生じることなく確実に整列させることができる。
【発明を実施するための最良の形態】
【００１９】
次に、本発明の好適な実施形態について図面を参照して説明する。
図１は、本発明の実施形態に係る記録装置としてのプリンタ１０の構成を示す外観斜視図である。図１に示すプリンタ１０は、上部ケース１１及び下部ケース１２からなる外装を有し、この外装に、後述するプリンタ本体２０（図２）を収納する。プリンタ１０は、その前面に媒体出入口１３を有し、この媒体出入口１３から挿入される記録媒体に対して、プリンタ本体２０が有する記録ヘッド３１（図２）によって、文字を含む画像を記録し、媒体出入口１３から排出するものである。
なお、プリンタ１０においては、記録媒体として、複数のシートを綴じてなる通帳等の冊子、及び、１枚のシートや複数枚のシートを重畳した複写式記録用紙等の単票紙を含め、各種の記録用紙（紙製及び合成樹脂製を含む）を利用可能である。なお、ここでシートとは、紙製、合成樹脂製を含み、普通紙、コート紙等の特殊加工紙、複写用紙等を含む。
本実施形態においては、冊子形態を有し、記録面を開いた場合の裏面にあたる表紙（裏表紙）に磁気ストライプ１１１が設けられた通帳１１０と、媒体出入口１３の幅よりも小さいサイズの単票紙１２０と、媒体出入口１３の幅に近いサイズを有する大判単票紙１３０とを用いる場合を例に挙げて説明する。また、通帳１１０、単票紙１２０、及び、大判単票紙１３０をあわせて記録用紙１００と呼ぶ。
【００２０】
図１に示すように、プリンタ１０の前面には、挿入口としての媒体出入口１３が開口する。媒体出入口１３は、後述するプリンタ本体２０に対し、画像を記録すべき記録用紙１００を図中符号Ａで示す方向に挿入する挿入口と、記録後の記録用紙１００が図中符号Ｂで示す方向に排出される排出口とを兼ねる開口部である。
媒体出入口１３の下には、プリンタ１０の前面側に突出する媒体挿入台１４が配設される。媒体挿入台１４の上面は、プリンタ本体２０が備える前方用紙案内２６（図４）に連通する水平面に形成され、記録用紙１００の搬送路の一部を構成し、媒体挿入台１４の水平面に記録用紙１００を載せて媒体出入口１３に挿入できるようになっている。
さらに、上部ケース１１には前面パネル１５が配設され、この前面パネル１５には、媒体出入口１３の直上にあたる位置に案内表示部１６、１７が設けられる。これら案内表示部１６、１７は、媒体出入口１３における記録用紙１００の挿入位置を案内する表示部であり、図１に示す例では、案内表示部１６は、通帳を媒体出入口１３の左側に挿入する旨を案内する文字列及び記号からなり、案内表示部１７は、単票紙を媒体出入口１３の右側に挿入する旨を案内する文字列及び記号からなる。通帳１１０及び単票紙１２０は、特別に大判のものを除いて、媒体出入口１３よりも幅が狭い。このため、通帳１１０及び単票紙１２０を、媒体出入口１３の片側に寄せて挿入することも、中央に挿入することも可能である。そこで、プリンタ１０においては、通帳１１０を用いる場合は媒体出入口１３の左側に寄せて挿入し、単票紙１２０を用いる場合は媒体出入口１３の右側に寄せて挿入することを規定している。プリンタ１０を操作するオペレータは、案内表示部１６、１７の案内に従って、記録用紙１００として通帳１１０を用いる場合は媒体出入口１３の左側に寄せて挿入し、単票紙１２０を用いる場合は媒体出入口１３の右側に寄せて挿入すればよい。なお、大判単票紙１３０は、媒体出入口１３の幅に近いサイズを有するので、媒体出入口１３における位置に関して自由度が低いが、単票紙であることから、案内表示部１７の表示に従って媒体出入口１３の右側に寄せればよい。このとき、大判単票紙１３０が媒体出入口１３の左側まで達していたとしても、図９を参照して後述するように、特に問題はない。
また、上部ケース１１は、上方に開放可能な上部カバー１１ａを備え、この上部カバー１１ａを開放することによって、後述するプリンタ本体２０のメンテナンス等を行える。
【００２１】
図２は、プリンタ本体２０の構成を示す斜視図であり、図３は、プリンタ本体２０内部の構成を示す斜視図である。また、図４はプリンタ１０の断面視図である。
図２に示すように、プリンタ本体２０は、下本体部２２と、この下本体部２２の後端部にヒンジ２０ａを介して連結される上本体部２１とを備える。下本体部２２は、上部ケース１１及び下部ケース１２（図１）に収納されている。この上部カバー１１ａを開放し、レバー７２を操作することにより、上部ケース１１がヒンジ２０ａを中心として上方に回動し、図３に示すように、プリンタ本体２０の内部が露出する。
【００２２】
プリンタ本体２０は、図２〜図４に示すように、左右の両側端部に立設される右サイドフレーム２３及び左サイドフレーム２４と、右サイドフレーム２３及び左サイドフレーム２４の間に架け渡されるベースフレーム２５とを備えた本体フレームを有し、この本体フレームに各部が配設される。
右サイドフレーム２３と左サイドフレーム２４との間にはキャリッジ軸２９が架け渡され、このキャリッジ軸２９には、記録ヘッド３１を搭載したキャリッジ３０が挿通され、キャリッジ駆動モータ（図示略）の動力により、キャリッジ３０をキャリッジ軸２９に沿って移動させることで、記録ヘッド３１を記録用紙１００上で走査させることができる。ここで、記録ヘッド３１の走査方向は、キャリッジ軸２９の長手方向と平行であり、図１及び図４中に符号Ａ、Ｂで示す記録用紙１００の搬送方向に直交する。
また、キャリッジ軸２９の上方にはリボンカートリッジ３４が配設され、このリボンカートリッジ３４から、記録ヘッド３１と記録用紙１００との間にインクリボン（図示略）が供給される。記録ヘッド３１を記録用紙１００上で走査しながら、記録用紙１００の記録面に対して記録ヘッド３１からインクリボンを介して記録ワイヤ（図示略）を打ち出すことにより、画像の記録が行われる。
また、記録ヘッド３１の下方には、プラテン３２が配設される。プラテン３２は、上部に平面を有する平プラテンであり、その下方に埋設されるばね３３によって記録ヘッド３１側へ付勢される。プラテン３２の平面は、記録用紙１００を介して記録ヘッド３１に対向し、記録ワイヤの突出力を支持する。
また、プリンタ本体２０の前部には磁気データ読書部３８が配設される。磁気データ読書部３８は、記録用紙１１０の磁気ストライプ１１１を走査して、磁気ストライプ１１１に記録された磁気データの読み出し及び書き込みを行う。
【００２３】
プリンタ本体２０の前部において、媒体出入口１３（図１）に対応する位置には前方用紙案内２６が埋設される。前方用紙案内２６は、媒体挿入台１４（図１）の水平面に連通する平面を有し、この平面上を記録用紙１００が搬送される。また、前方用紙案内２６の上方には、前方用紙案内２６の平面に対向して押さえ部２８が配設される。押さえ部２８は、磁気データ読書部３８が記録用紙１１０の磁気ストライプ１１１を走査する場合に記録用紙１１０の浮き上がりを押さえるものであり、前方用紙案内２６の上を記録用紙１００が搬送される場合は、図４に示すように、記録用紙１００の搬送路より退避した位置に格納されている。
前方用紙案内２６の後方には、記録用紙１００を挟んで搬送するための第１搬送部４０が配設される。第１搬送部４０は、媒体出入口１３（図１）から挿入された記録用紙１００を記録ヘッド３１に向けて搬送し、或いは、記録後の記録用紙１００を媒体出入口１３から排出するために搬送する。第１搬送部４０は、記録用紙１００の搬送路の下方に位置して、搬送モータ３６から駆動輪列部３５を介して伝達される駆動力によって回転する第１搬送軸４２と、第１搬送軸４２に挿通される複数の第１駆動ローラ４１と、記録用紙１００の搬送路を挟んで第１駆動ローラ４１に対向して配設された複数の第１従動ローラ４３と、第１従動ローラ４３を第１駆動ローラ４１に向けて付勢する整列時付勢ばね４６（付勢手段）及び搬送時付勢ばね４７（搬送時付勢手段）とを備える。第１搬送部４０は、第１駆動ローラ４１と第１従動ローラ４３との間に記録用紙１００を挟み込み、搬送モータ３６の駆動力によって回転することで、記録用紙１００を、記録ヘッド３１側または媒体出入口１３側へ移動させる。
【００２４】
第１搬送部４０の後方には、整列板３７が配設される。整列板３７は、プリンタ本体２０の幅方向に沿って延びる板状部材であり、記録用紙１００の搬送路に進退可能に配設され、記録用紙１００の搬送路に対して垂直な平面である基準面を有する。整列板３７が記録用紙１００の搬送路に進出した状態で、第１搬送部４０によって記録用紙１００を記録ヘッド３１側へ搬送すると、記録用紙１００の先端が整列板３７の基準面に突き当てられる。ここで、記録用紙１００が方形であった場合、その先端は直線である。従って、記録用紙１００が整列板３７に突き当てられると、記録用紙１００の先端の直線が整列板３７の基準面に沿うように、記録用紙１００の向きが変わる。すなわち、記録用紙１００の向きが搬送方向に沿って整えられる。これにより、媒体出入口１３に記録用紙１００が斜めに挿入されたとしても、記録ヘッド３１による記録を行う前に、記録用紙１００の傾きを修正できる。
【００２５】
さらに、記録ヘッド３１の後方には第２搬送部５０が配設される。第２搬送部５０は、記録ヘッド３１を挟んで第１搬送部４０の反対側に位置し、記録用紙１００を搬送するものである。第２搬送部５０は、記録用紙１００の搬送路の下方に位置して、搬送モータ３６から駆動輪列部３５を介して伝達される駆動力によって回転する第２搬送軸５２と、第２搬送軸５２に挿通される複数の第２駆動ローラ５１と、記録用紙１００の搬送路を挟んで第２駆動ローラ５１に対向して配設された複数の第２従動ローラ５３と、第２従動ローラ５３を第２駆動ローラ５１に向けて付勢するばね５４とを備え、第２駆動ローラ５１と第２従動ローラ５３との間に記録用紙１００を挟み込み、搬送モータ３６の駆動力によって第２駆動ローラ５１及び第２従動ローラ５３を回転させることで、記録用紙１００を、移動させる。また、第２搬送部５０の後方には、前方用紙案内２６の平面と略同一の高さ位置に平面を有する後方用紙案内２７が配設される。後方用紙案内２７の平面においては、記録用紙１００が下方から支持される。
このように、プリンタ本体２０は、媒体出入口１３に連通し、前方用紙案内２６、第１搬送部４０、プラテン３２、第２搬送部５０、及び後方用紙案内２７により形成される搬送路（図中符号Ｃ）を有し、この搬送路上において記録用紙１００を搬送しつつ、記録用紙１００に画像を記録する。
また、下部ケース１２内には、プリンタ本体２０が備えるキャリッジ駆動モータ（図示略）、記録ヘッド３１、搬送モータ３６等の各動作部を制御する制御基板部６０が収納される。
【００２６】
ここで、上記プリンタ１０における第１搬送部４０の構成について、詳細に説明する。図５は、第１搬送部４０の構成を示す要部斜視図であり、図６及び図７は、図５の要部拡大図である。また、図８は、第１搬送部４０に単票紙１２０を挟んだ状態を示す説明図であり、記録ヘッド３１側から見た図である。図９は、第１搬送部４０と記録用紙１００との位置関係を示す斜視図である。
図５〜図８に示すように、第１搬送部４０は、記録ヘッド３１（図２）の走査方向に沿って並ぶ６個の第１駆動ローラ４１と、これら６個の第１駆動ローラ４１に対して各々対向する搬送ローラとしての６個の第１従動ローラ４３Ａ、４３Ｂ、４３Ｃ、４３Ｄ、４３Ｅ、４３Ｆとを備え、これらの各ローラは、フレーム４０ａに納められる。フレーム４０ａはプリンタ本体２０の幅方向に延びる方形の枠であり、右サイドフレーム２３（図２）及び左サイドフレーム２４（図２）に固定される。フレーム４０ａには、上記の第１駆動ローラ４１及び第１従動ローラ４３Ａ〜Ｆを収納され、さらに、第１搬送軸４２、及び、後述する軸４４Ａ、４４Ｂ、４４Ｃとジョイント４５Ａ、４５Ｂ、４５Ｃとが回転可能に軸支される。
６個の第１駆動ローラ４１は、いずれも第１搬送軸４２に挿通されて固定され、第１搬送軸４２とともに回転する。一方、６個の第１従動ローラ４３Ａ〜Ｆは、軸４４Ａ〜Ｃ及びジョイント４５Ａ〜Ｃによって互いに連結される。軸４４Ａ〜Ｃは２個のローラを一体に連結する軸であり、ジョイント４５Ａ〜Ｃは、２個のローラを変位可能に連結しつつ、両ローラ間で回転力を伝達するユニバーサルジョイントである。そして、６個の第１従動ローラ４３Ａ〜Ｆは、２個ずつ３組にまとめられ、第１従動ローラ４３Ａ、４３Ｂとは軸４４Ａにより連結されて組をなし、第１従動ローラ４３Ｃ、４３Ｄは軸４４Ｂにより連結され、第１従動ローラ４３Ｅ、４３Ｆは軸４４Ｃにより連結されて組をなす。また、第１従動ローラ４３Ｂと第１従動ローラ４３Ｃとはジョイント４５Ａにより連結され、第１従動ローラ４３Ｄと第１従動ローラ４３Ｅとはジョイント４５Ｂにより連結される。このように、上記した第１従動ローラ４３Ａ〜Ｆの３つの組は、ジョイント４５Ａ、４５Ｂによって連結される。
【００２７】
さらに、第１従動ローラ４３Ｆはジョイント４５Ｃを介して伝達ローラ４８に連結され、伝達ローラ４８が回転すると、この回転力が第１従動ローラ４３Ａ〜Ｆに伝達され、第１従動ローラ４３Ａ〜Ｆは伝達ローラ４８とともに回転する。伝達ローラ４８は、第１搬送軸４２に挿通された駆動側伝達ローラ４９に当接して、駆動側伝達ローラ４９とともに回転する。この構成により、第１搬送部４０においては、駆動輪列部３５（図２）により伝達される駆動力によって第１搬送軸４２が回転すると、第１搬送軸４２に挿通された６個の第１駆動ローラ４１が回転するとともに、第１搬送軸４２の回転力が駆動側伝達ローラ４９から伝達ローラ４８へ伝達される。これによって伝達ローラ４８が回転することで、６個の第１従動ローラ４３Ａ〜Ｆが、第１駆動ローラ４１と同期して回転する。
【００２８】
このように、第１搬送部４０が備える６個の第１従動ローラ４３Ａ〜Ｆは３つの組をなし、ジョイント４５Ａ〜Ｃの機能により、６個の第１従動ローラ４３Ａ〜Ｆは、異なる高さ位置にあっても回転可能である。例えば図８に示すように、単票紙１２０が媒体出入口１３（図１）の右端に挿入された場合、第１搬送部４０においては、第１従動ローラ４３Ｄ、第１従動ローラ４３Ｅ、及び第１従動ローラ４３Ｆの３個の第１従動ローラ４３が単票紙１２０に当接する。これら３個の第１従動ローラ４３のうち、第１従動ローラ４３Ｅ、４３Ｆは一つの組をなしているので、単票紙１２０の厚みに応じて一体となって上方に変位する。また、第１従動ローラ４３Ｄは単票紙１２０の厚み分だけ上方に変位しようとするが、その一方で、第１従動ローラ４３Ｃは単票紙１２０に当接しない。この場合、第１従動ローラ４３Ｃと第１従動ローラ４３Ｄとの高さ位置の差によって、第１従動ローラ４３Ｃ、４３Ｄは一体となって傾き、この傾きはジョイント４５Ａ、４５Ｂによって吸収される。従って、第１搬送部４０は、６個の第１従動ローラ４３Ａ〜Ｆのうち一部のみが記録用紙１００に当接した場合であっても、問題なく動作できる。
【００２９】
そして、第１従動ローラ４３Ａ〜Ｆは、３本の整列時付勢ばね４６Ａ、４６Ｂ、４６Ｃ及び３本の搬送時付勢ばね４７Ａ、４７Ｂ、４７Ｃによって、第１駆動ローラ４１側に付勢されている。整列時付勢ばね４６Ａ〜Ｃ及び搬送時付勢ばね４７Ａ〜Ｃは、いずれも、一端をフレーム４０ａに固定されたねじり棒ばねであり、整列時付勢ばね４６Ａ及び搬送時付勢ばね４７Ａの他端は軸４４Ａに係止され、軸４４Ａを第１駆動ローラ４１側に付勢する。同様に、整列時付勢ばね４６Ｂ及び搬送時付勢ばね４７Ｂの他端は軸４４Ｂに係止され、整列時付勢ばね４６Ｃ及び搬送時付勢ばね４７Ｃの他端は軸４４Ｃに係止され、各々軸４４Ｂ、４４Ｃを第１駆動ローラ４１側に付勢する。
６個の第１駆動ローラ４１は、いずれも、左サイドフレーム２３、右サイドフレーム２４、及びベースフレーム２５に軸支される第１搬送軸４２に挿通されているので、上下に変位しない。従って、第１駆動ローラ４１と第１従動ローラ４３Ａ〜Ｆとによって記録用紙１００を挟む力は、整列時付勢ばね４６Ａ〜Ｃ及び搬送時付勢ばね４７Ａ〜Ｃから第１従動ローラ４３Ａ〜Ｆに加わる付勢力に等しい。さらに、第１駆動ローラ４１及び第１従動ローラ４３Ａ〜Ｆに加わる回転力は各ローラ間に差がないので、記録用紙１００を搬送する力は、第１駆動ローラ４１及び第１従動ローラ４３Ａ〜Ｆによって記録用紙１００を挟む力、すなわち、整列時付勢ばね４６Ａ〜Ｃ及び搬送時付勢ばね４７Ａ〜Ｃから第１従動ローラ４３Ａ〜Ｆに加わる付勢力によって決まる。
また、搬送時付勢ばね４７Ａ〜Ｃの軸４４Ａ〜Ｃに係止される側の端部は、荷重切り替え板７０に設けられた切り欠き部７１Ａ〜Ｃに挿入されている。搬送時付勢ばね４７Ａ〜Ｃは、整列板３７（図４）が記録用紙１００の搬送路に進出している状態においては、図示しない移動機構の動作によって荷重切り替え板７０が上方に移動することにより、軸４４Ａ〜Ｃから外れた位置に移動し、整列板３７が記録用紙１００の搬送路から退出した場合に、上記移動機構の動作に基づいて荷重切り替え板７０が下降することにより、軸４４Ａ〜Ｃに係止する。このため、軸４４Ａ〜Ｃは、整列板３７が進出していない時には整列時付勢ばね４６Ａ〜Ｃ及び搬送時付勢ばね４７Ａ〜Ｃの両方によって付勢され、整列板３７の進出時には整列時付勢ばね４６Ａ〜Ｃのみによって付勢される。
【００３０】
これら整列時付勢ばね４６Ａ〜Ｃのばね力は、各々異なっており、整列時付勢ばね４６Ａが最もばね力が強く、以下、整列時付勢ばね４６Ｂ、整列時付勢ばね４６Ｃの順にばね力が弱く構成されている。
整列時付勢ばね４６Ａは、第１従動ローラ４３Ａ、４３Ｂを付勢する。図９に示すように、第１従動ローラ４３Ａ、４３Ｂは、媒体出入口１３（図１）の左側、すなわち、案内表示部１６（図１）によって通帳１１０を挿入するよう案内される側に位置する。つまり、整列時付勢ばね４６Ａは、主に、媒体出入口１３の左側に挿入される通帳１１０を搬送するものである。また、整列時付勢ばね４６Ｂは、第１従動ローラ４３Ｃ、４３Ｄを付勢する。図９に示すように、第１従動ローラ４３Ｃ、４３Ｄは、媒体出入口１３の中央に対応する位置にあり、大判単票紙１３０に当接するほか、通帳１１０及び単票紙１２０に対しても当接する可能性がある。さらに、整列時付勢ばね４６Ｃは、第１従動ローラ４３Ｅ、４３Ｆを付勢する。図９に示すように、第１従動ローラ４３Ｅ、４３Ｆは媒体出入口１３の右端、すなわち、案内表示部１７（図１）によって単票紙１２０を挿入するよう案内される側に位置する。従って、整列時付勢ばね４６Ｃは、主に、媒体出入口１３の右側に挿入される単票紙１２０を搬送するものである。
【００３１】
ところで、通帳１１０は複数の用紙を綴じたものであるから、綴じ部分の強度を確保するため、厚手の用紙が使用されることが多い。従って、通帳１１０全体としては、厚みが大きく、かつ強度及び弾性に富む。一方、単票紙１２０及び大判単票紙１３０は１枚または複数枚のシートで構成され、強度及び弾性に乏しい薄い用紙が使用される可能性がある。また、単票紙１２０及び大判単票紙１３０の厚みは、通帳１１０に比べて非常に薄い。このように、厚み、弾性、強度が大きく異なる記録用紙を同じように搬送しようとすると、記録用紙を傷めたり、整列が不十分になったりする可能性がある。
【００３２】
例えば、整列板３７に記録用紙１００を突き当てて整列させる整列動作においては、記録用紙１００の先端のうち最も前に位置する一部分が、最初に整列板３７の基準面に当接する。その後、記録用紙１００の先端の全部が整列板３７の基準面に当接するまで、引き続き記録用紙１００が整列板３７に向けて搬送される。この過程においては、第１従動ローラ４３が回転し続けるのに対し、記録用紙１００のうち先に整列板３７に当接した部分は整列が完了するまで動かないので、記録用紙１００と第１従動ローラ４３との間には、部分的にすべりを生じる。従って、整列動作が完全に実行されるためには、整列板３７に当接した記録用紙１００が屈曲変形せず、かつ、部分的に適度なすべりを生じることが必要であり、第１搬送部４０において記録用紙１００を搬送する力と、記録用紙１００の弾性とを調和させる必要がある。
【００３３】
そこで、プリンタ１０においては、整列時付勢ばね４６Ａ〜Ｃのばね力を各々異ならせることによって、通帳１１０、単票紙１２０及び大判単票紙１３０の全てに対応することを可能としている。つまり、単票紙１２０に当接する第１従動ローラ４３Ｅ、４３Ｆを付勢する整列時付勢ばね４６Ｃのばね力を弱く、通帳１１０に当接する第１従動ローラ４３Ａ、４３Ｂを付勢する整列時付勢ばね４６Ａのばね力を強くすることにより、整列動作中に、単票紙１２０が弱い力で挟まれ、通帳１１０は強い力で挟まれるようにしている。これにより、単票紙１２０を搬送する力が強すぎて単票紙１２０を屈曲変形させてしまい、或いは、通帳１１０を搬送する力が弱すぎて整列できないといった事態を防止できる。
【００３４】
また、図９に示すように、媒体出入口１３の幅に近いサイズを有する大判単票紙１３０については、第１従動ローラ４３Ａ〜Ｆが、組毎に異なる力で大判単票紙１３０を挟むので、大判単票紙１３０の全体に対して均等に強い力が加わることがない。具体的には、第１従動ローラ４３Ｅ、４３Ｆは、大判単票紙１３０を弱く挟み込むため、第１従動ローラ４３Ｅ、４３Ｆにと大判単票紙１３０との間がすべり易くなっており、大判単票紙１３０を整列板３７に突き当てる際に大判単票紙１３０を屈曲変形させてしまうことはない。
【００３５】
以上のように、本実施形態に係るプリンタ１０は、６個の第１従動ローラ４３Ａ〜Ｆと、これら６個の第１従動ローラ４３Ａ〜Ｆを記録用紙１００に向けて付勢する整列時付勢ばね４６Ａ〜Ｃとを備える第１搬送部４０を有し、６個の第１従動ローラ４３Ａ〜Ｆは２個ずつ３つの組をなし、組毎に異なるばね力を有する整列時付勢ばね４６Ａ〜Ｃによって付勢される。そして、これら６個の第１従動ローラ４３Ａ〜Ｆによって記録用紙１００を整列板３７に対して搬送することにより、記録用紙１００の向きを整える整列機能を有する。このうち、主に通帳１１０に当接する第１従動ローラ４３Ａ、４３Ｂは、強いばね力を有する整列時付勢ばね４６Ａによって付勢され、主に単票紙１２０を当接する第１従動ローラ４３Ｅ、４３Ｆは、ばね力の弱い第１従動ローラ４３Ｃによって付勢され、さらに記録用紙１００の搬送路Ｃの幅方向中央に位置する第１従動ローラ４３Ｃ、４３Ｄは、中間のばね力を有する整列時付勢ばね４６Ｂによって付勢される。これにより、強度及び弾性に富む通帳１１０を確実に整列させることができ、また、強度及び弾性に乏しい単票紙１２０を傷めることなく整列させることが可能である。すなわち、記録用紙１００の種類に拘わらず、記録用紙１００を傷めずに、確実に向きを整えることができる。また、この構成は、第１従動ローラ４３Ａ〜Ｆを付勢する整列時付勢ばね４６Ａ〜Ｃのばね力を各々異ならせることによって実現可能であり、部材の増加や構成の複雑化を伴わないという利点がある。
【００３６】
さらに、プリンタ１０は、記録用紙１００の搬送路Ｃ上に進退可能な整列板３７を備え、記録用紙１００を記録ヘッド３１側に向けて搬送し、整列板３７に突き当てることによって記録用紙１００の向きを整えて、その後に整列板３７を搬送路Ｃから退出させて記録ヘッド３１に向けて記録用紙１００を搬送し、画像の記録を行える。このため、記録用紙１００の向きを整える機能を、整列動作専用の搬送ローラ等を設けることなく、またプリンタ１０のサイズを大型化することなく実現できる。
【００３７】
また、記録用紙１００をプリンタ１０に挿入する媒体出入口１３においては、案内表示部１６、１７が配され、通帳１１０を右側に寄せて挿入し、単票紙１２０及び大判単票紙１３０を左側に寄せて挿入するよう案内表示されている。そして、案内表示部１６、１７の表示に従えば、通帳１１０は強いばね力を有する整列時付勢ばね４６Ａによって付勢された第１従動ローラ４３Ｅ、４３Ｆによって搬送され、単票紙１２０及び大判単票紙１３０は、弱いばね力を有する整列時付勢ばね４６Ｃによって付勢された第１従動ローラ４３Ｅ、４３Ｆにより搬送されることになる。従って、プリンタ１０を使用するオペレータは、案内表示部１６、１７の表示に従って記録用紙１００を挿入するだけでよく、この極めて簡単な操作によって、記録用紙１００の種類に適した力で記録用紙１００を整列させることができる。
【００３８】
さらに、プリンタ１０において、第１搬送部４０は、整列板３７が記録用紙１００の搬送路Ｃに突出した状態で第１従動ローラ４３Ａ〜Ｆを付勢する整列時付勢ばね４６Ａ、４６Ｂ、４６Ｃに加えて、整列板３７が搬送路Ｃから退出した状態で第１従動ローラ４３Ａ〜Ｆを付勢する搬送時付勢ばね４７Ａ〜Ｃを備える。従って、記録用紙１００の向きを整える整列動作時と、その他の搬送動作時、例えば記録ヘッド３１によって画像を記録するために記録用紙１００を搬送する動作時とで、第１従動ローラ４３Ａ〜Ｆが異なる付勢力で付勢される。これにより、記録用紙１００の種類と、プリンタ１０における動作の種類に最適な力で記録用紙１００を搬送するので、通帳１１０の整列が不足したり、単票紙１２０及び大判単票紙１３０を傷めたりすることなく、確実に整列および搬送動作を行うことができる。
【００３９】
なお、上記実施形態において、第１従動ローラ４３Ａ〜Ｆを付勢する整列時付勢ばね４６Ａ〜Ｃ及び搬送時付勢ばね４７Ａ〜Ｃは、いずれもねじり棒ばねにより構成されるものとしたが、本発明はこれに限定されるものではなく、例えば、コイルばねや板ばねを用いることも可能である。また、整列時付勢ばねを用いることなく第１従動ローラ４３Ａ〜Ｆの自重によって整列に必要な搬送力が得られる場合には、整列時付勢ばねの一部を排した構成とすることも可能である。整列板３７は、搬送路Ｃに対して進退可能に構成され、かつ、搬送路Ｃに対して垂直な基準面を有するものであればよく、その他の具体的な形状については任意である。また、図１には、案内表示部１６、１７として、「通帳」及び「単票」の文字列と矢印とを組み合わせた例を示したが、本発明はこれに限定されず、記録用紙１００を操作するオペレータに対して挿入位置を的確に案内できるものであればよい。例えば、文字列以外の各種の図柄、記号、点字等を配してもよいし、発光するインジケータと文字列や記号等を組み合わせたものであってもよく、或いは、可変表示が可能なディスプレイを設けて、このディスプレイ上に、必要に応じて案内表示を行うものであってもよい。さらに、案内表示部１６、１７の位置についても特に制限はなく、媒体出入口１３の側方に配置してもよいし、上部ケース１１の上面に配置してもよい。その他の具体的な細部構成についても、本発明の趣旨を損なうことのない範囲において任意に変更可能である。
【図面の簡単な説明】
【００４０】
【図１】本発明の実施形態に係るプリンタの外観斜視図である。
【図２】プリンタ本体の構成を示す斜視図である。
【図３】プリンタ本体の上本体部をチルトさせた状態を示す斜視図である。
【図４】プリンタの構成を示す断面視図である。
【図５】プリンタ本体が備える第１搬送部の構成を示す斜視図である。
【図６】図５の要部拡大図である。
【図７】図５の要部拡大図である。
【図８】第１搬送部に単票紙を挟んだ状態を示す説明図である。
【図９】第１搬送部と記録用紙との位置関係を示す斜視図である。
【符号の説明】
【００４１】
１０…プリンタ（記録装置）、１３…媒体出入口（挿入口）、１４…媒体挿入台、１５…前面パネル、１６、１７…案内表示部、２０…プリンタ本体、３６…搬送モータ、３７…整列板（整列部材）、４０…第１搬送部、４１…第１駆動ローラ、４２…第１搬送軸、４３…第１従動ローラ（搬送ローラ）、４４…軸、４５…ジョイント、４６…整列時付勢ばね（付勢手段）、４７…搬送時付勢ばね（搬送時付勢手段）、４８…伝達ローラ、４９…駆動側伝達ローラ、１００…記録用紙（記録媒体）、１１０…通帳、１２０…単票紙、１３０…大判単票紙、Ａ、Ｂ…搬送方向、Ｃ…搬送路。
【図１】
2006248725.tif 000003
【図２】
2006248725.tif 000004
【図３】
2006248725.tif 000005
【図４】
2006248725.tif 000006
【図５】
2006248725.tif 000007
【図６】
2006248725.tif 000008
【図７】
2006248725.tif 000009
【図８】
2006248725.tif 000010
【図９】
2006248725.tif 000011